(57)【要約】【課題】不用意に開蓋されることを抑制でき、かつ、必要な時には開蓋し易い包装用容器を実現する。【解決手段】矩形状の容器本体３及び蓋体５の四隅のうちの一部が、容器本体３の本体摘み部３６と蓋体５の蓋体摘み部５６とが重ね合わされる開蓋領域１１とされ、容器本体３の本体逆テーパー部と蓋体５の蓋体逆テーパー部５５とが係合してなる逆テーパー係合部１４が、全ての開蓋領域１１において、それぞれ略全域に亘って設けられ、かつ、容器外周における開蓋領域１１以外の領域において、容器本体３及び蓋体５の少なくとも１辺の両端部１Ｅと中間部１Ｍとに独立して設けられ、蓋体摘み部５６に、下方に向かって突出する下方突起部が設けられている。【選択図】図３
2020001749.tif 000002
【特許請求の範囲】
【請求項１】
容器本体と蓋体とを備え、シート成形によって形成される包装用容器であって、
前記容器本体及び前記蓋体が平面視矩形状に形成され、
前記容器本体は、底面部と、前記底面部から上方に延びる本体周壁部と、前記本体周壁部から外側に延びる本体フランジ部と、前記本体フランジ部よりも周縁側に設けられた本体逆テーパー部と、前記本体フランジ部よりも外側に突出する突出片からなる本体摘み部と、を有し、
前記蓋体は、天面部と、前記天面部から下方に延びる蓋体周壁部と、前記蓋体周壁部から外側に延びる蓋体フランジ部と、前記蓋体フランジ部よりも周縁側に設けられて前記本体逆テーパー部に係合する蓋体逆テーパー部と、前記蓋体フランジ部よりも外側に突出する突出片からなり前記本体摘み部に重ね合わされる蓋体摘み部と、を有し、
前記本体摘み部と前記蓋体摘み部とが重ね合わされる開蓋領域が、容器外周に設けられ、
矩形状の前記容器本体及び前記蓋体の四隅のうちの一部が前記開蓋領域とされ、
前記本体逆テーパー部と前記蓋体逆テーパー部とが係合してなる逆テーパー係合部が、全ての前記開蓋領域において、それぞれ略全域に亘って設けられ、かつ、容器外周における前記開蓋領域以外の領域において、矩形状の前記容器本体及び前記蓋体の少なくとも１辺の両端部と中間部とに独立して設けられ、
前記蓋体摘み部に、下方に向かって突出する下方突起部が設けられている包装用容器。
【請求項２】
前記本体逆テーパー部が前記容器本体の全周に亘って形成されているとともに、前記蓋体逆テーパー部が前記蓋体の外周において断続的に形成されている請求項１に記載の包装用容器。
【請求項３】
前記容器本体及び前記蓋体が、一対の長辺と一対の短辺とを有する平面視長方形状に形成され、
前記逆テーパー係合部が、長方形状の前記容器本体及び前記蓋体の一対の前記長辺の両端部と中間部とに独立して設けられている請求項１又は２に記載の包装用容器。
【請求項４】
長方形状の前記容器本体及び前記蓋体の一対の前記短辺には、前記逆テーパー係合部が両端部だけに設けられている請求項３に記載の包装用容器。
【請求項５】
前記蓋体周壁部における、前記開蓋領域に設けられた前記逆テーパー係合部の直上の位置に、内向きに凹む周壁凹部が設けられている請求項１から４のいずれか一項に記載の包装用容器。
【発明の詳細な説明】
【技術分野】
【０００１】
本発明は、容器本体と蓋体とを備えた包装用容器に関する。
【背景技術】
【０００２】
例えば、下記の特許文献１（特開２００１−１３９０４５号公報）には、容器本体〔１１〕と、当該容器本体〔１１〕に嵌合する蓋体〔１２〕とを備えた包装用容器〔１０〕が開示されている。容器本体〔１１〕の周縁には本体側内嵌合部〔１５〕が形成されており、蓋体〔１２〕の周縁には蓋体側内嵌合部〔１６〕が形成されている。本体側内嵌合部〔１５〕と蓋体側内嵌合部〔１６〕とは、共に、上方に向かうに従って容器〔１０〕の内側に傾斜するテーパー状となっている。そして、このようなテーパー状の蓋体側内嵌合部〔１６〕と本体側内嵌合部〔１５〕とが当接し合うことで、蓋体〔１２〕と容器本体〔１１〕とが嵌合するように構成されている。このように、テーパー状の嵌合部を有する包装用容器では、蓋体と容器本体との強固な嵌合を実現でき、例えば、包装用容器の搬送時や陳列時などにおいて蓋体が不用意に開くことを抑制することが可能となる。
【先行技術文献】
【特許文献】
【０００３】
【特許文献１】特開２００１−１３９０４５号公報
【発明の概要】
【発明が解決しようとする課題】
【０００４】
しかしながら、テーパー状の嵌合部を有する包装用容器では、蓋体と容器本体とを強固に嵌合できる一方で、必要な時に開蓋しにくいという課題があった。
【０００５】
上記実状に鑑みて、不用意に開蓋されることを抑制でき、かつ、必要な時には開蓋し易い包装用容器の実現が望まれている。
【課題を解決するための手段】
【０００６】
本開示に係る包装用容器は、
容器本体と蓋体とを備え、シート成形によって形成される包装用容器であって、
前記容器本体及び前記蓋体が平面視矩形状に形成され、
前記容器本体は、底面部と、前記底面部から上方に延びる本体周壁部と、前記本体周壁部から外側に延びる本体フランジ部と、前記本体フランジ部よりも周縁側に設けられた本体逆テーパー部と、前記本体フランジ部よりも外側に突出する突出片からなる本体摘み部と、を有し、
前記蓋体は、天面部と、前記天面部から下方に延びる蓋体周壁部と、前記蓋体周壁部から外側に延びる蓋体フランジ部と、前記蓋体フランジ部よりも周縁側に設けられて前記本体逆テーパー部に係合する蓋体逆テーパー部と、前記蓋体フランジ部よりも外側に突出する突出片からなり前記本体摘み部に重ね合わされる蓋体摘み部と、を有し、
前記本体摘み部と前記蓋体摘み部とが重ね合わされる開蓋領域が、容器外周に設けられ、
矩形状の前記容器本体及び前記蓋体の四隅のうちの一部が前記開蓋領域とされ、
前記本体逆テーパー部と前記蓋体逆テーパー部とが係合してなる逆テーパー係合部が、全ての前記開蓋領域において、それぞれ略全域に亘って設けられ、かつ、容器外周における前記開蓋領域以外の領域において、矩形状の前記容器本体及び前記蓋体の少なくとも１辺の両端部と中間部とに独立して設けられ、
前記蓋体摘み部に、下方に向かって突出する下方突起部が設けられている。
【０００７】
本構成によれば、本体逆テーパー部と蓋体逆テーパー部との係合によって容器本体と蓋体とを強固に嵌合することができ、例えば包装用容器の搬送時や陳列時等に不用意に開蓋することを抑制できる。また、蓋体摘み部が蓋体フランジ部よりも外側に突出する突出片からなっているため、開蓋時には蓋体摘み部を摘まみながら開蓋し易い。蓋体摘み部には下方突起部が設けられて本体摘み部との間に隙間が生じるため、蓋体摘み部を摘まみやすく、開蓋操作をさらに容易に行うことができる。また、蓋体摘み部は本体摘み部に重ね合わせられるため、蓋体摘み部が他物に接触して開蓋することも抑制できる。
また、本構成によれば、逆テーパー係合部が開蓋領域の全てに設けられているため、当該開蓋領域では、容器本体と蓋体との強嵌合を実現しつつ必要な時には開蓋し易い。また、逆テーパー係合部は、開蓋領域以外の領域において少なくとも１辺の両端部と中間部とに独立して断続的に設けられるため、逆テーパー係合部が全周に亘って設けられる構成とは異なり、容器本体と蓋体とが必要以上に強固に嵌合するのを抑制することができる。よって、この点からも、必要な時に開蓋し易く、円滑に開蓋することができる。
【０００８】
１つの態様として、
前記本体逆テーパー部が前記容器本体の全周に亘って形成されているとともに、前記蓋体逆テーパー部が前記蓋体の外周において断続的に形成されていると好適である。
【０００９】
本構成によれば、逆テーパー係合部を全ての開蓋領域（四隅のうちの一部）の略全域と少なくとも１辺の両端部と中間部とに独立して断続的に設けるのに、蓋体逆テーパー部を、蓋体の外周において逆テーパー係合部を設ける位置に応じて断続的に形成し、その一方で、本体逆テーパー部を容器本体の全周に亘って形成する。本体逆テーパー部を容器本体の全周に亘って形成しておくことで、例えば蓋体の形状変更等によって蓋体逆テーパー部ひいては逆テーパー係合部の具体的位置が微調整されるような場合にも、柔軟に対応することができる。すなわち、容器本体側の構成はそのままに、蓋体側の構成を様々に微調整することで、基本的構成態様（逆テーパー係合部が全ての開蓋領域（四隅のうちの一部）の略全域と少なくとも１辺の両端部と中間部とに独立して断続的に設けられる態様）を共通としつつ逆テーパー係合部の具体的位置が若干異なる複数バリエーションの包装用容器を、容易に提供することができる。
【００１０】
１つの態様として、
前記容器本体及び前記蓋体が、一対の長辺と一対の短辺とを有する平面視長方形状に形成され、
前記逆テーパー係合部が、長方形状の前記容器本体及び前記蓋体の一対の前記長辺の両端部と中間部とに独立して設けられていると好適である。
【００１１】
本構成によれば、逆テーパー係合部が両端部と中間部とに独立して設けられる辺を、両端部どうしが比較的離れた位置関係となる一対の長辺とすることで、長辺部分における嵌合力を適度に高めることができる。よって、必要時における開蓋のしやすさを損なうことなく不用意な開蓋を効果的に抑制することができる。
【００１２】
１つの態様として、
長方形状の前記容器本体及び前記蓋体の一対の前記短辺には、前記逆テーパー係合部が両端部だけに設けられていると好適である。
【００１３】
両端部どうしが比較的近接した位置関係となる短辺では、その両端部に設けられた逆テーパー係合部だけでも、十分な嵌合力が得られる場合が多い。むしろ、短辺の中央部にも蓋体逆テーパー部を形成して逆テーパー係合部を設ければ、短辺部分における逆テーパー係合部の占有率が過大となって嵌合力が過度に高まってしまう可能性がある。この点に鑑み、本構成によれば、短辺部分における嵌合力を必要十分な大きさとすることができ、この点からも、必要時における開蓋のしやすさを損なうことなく不用意な開蓋を効果的に抑制することができる。
【００１４】
１つの態様として、
前記蓋体周壁部における、前記開蓋領域に設けられた前記逆テーパー係合部の直上の位置に、内向きに凹む周壁凹部が設けられていると好適である。
【００１５】
本構成によれば、周壁凹部によって蓋体周壁部の強度を向上させることができ、蓋体が外力によって撓むのを抑制することができる。
【００１６】
本開示に係る技術のさらなる特徴と利点は、図面を参照して記述する以下の例示的かつ非限定的な実施形態の説明によってより明確になるであろう。
【図面の簡単な説明】
【００１７】
【図１】包装用容器の分解正面図
【図２】包装用容器の分解側面図
【図３】包装用容器の平面図
【図４】容器本体の平面図
【図５】図３におけるＶ−Ｖ断面図
【図６】図３におけるＶＩ−ＶＩ断面図
【図７】図３におけるＶＩＩ−ＶＩＩ断面図
【発明を実施するための形態】
【００１８】
本実施形態に係る包装用容器について図面を参照して説明する。包装用容器１は、シート成形によって形成されており、図１及び２に示すように、容器本体３と蓋体５とを備えている。
【００１９】
包装用容器１は、その内部に食品等（例えば、料理など）の被収容物を収容する。本実施形態に係る包装用容器１は、例えば、にぎり寿司やおはぎ等の小さな塊状の被収容物を収容するのに適している。なお、以下では、包装用容器１の内部側、すなわち、外縁側から中央側に向かう方向を「内方」又は「内側」とする。そして、包装用容器１の外部側、すなわち、中央側から外縁側に向かう方向を「外方」又は「外側」として説明する。
【００２０】
図３に示すように、本実施形態では、包装用容器１は、平面視矩形状に形成されている。すなわち、包装用容器１を構成する容器本体３及び蓋体５は平面視矩形状に形成されている。本実施形態では、容器本体３及び蓋体５は、平面視長方形状に形成されており、それぞれ、一対の短辺部３ＳＳ，５ＳＳと一対の長辺部３ＳＬ，５ＳＬとを有している。但し、このような構成に限定されることなく、容器本体３及び蓋体５は、平面視正方形状に形成されていても良い。
【００２１】
図１、２及び４に示すように、容器本体３は、底面部３１と、底面部３１から上方に延びる本体周壁部３２と、本体周壁部３２から外側に延びる本体フランジ部３３と、本体フランジ部３３よりも周縁側（外側）に設けられた本体逆テーパー部３５と、本体フランジ部３３よりも外側に突出する突出片からなる本体摘み部３６と、を有している。
【００２２】
容器本体３は、４つの本体辺部３Ｓを有している。本実施形態では、本体辺部３Ｓは、平面視長方形状の容器本体３の短辺部を構成する一対の本体短辺部３ＳＳと、長辺部を構成する一対の本体長辺部３ＳＬと、を含んでいる。そして、本体周壁部３２は、一対の本体短辺部３ＳＳ及び一対の本体長辺部３ＳＬのそれぞれに形成されている。４つの本体周壁部３２のそれぞれは、上方に向かうに従って外方に傾斜するように形成されている。また、本体フランジ部３３は、本体周壁部３２の上端から水平方向に沿って外側に延びている。
【００２３】
底面部３１は、平面視矩形状（長方形状）に形成されている。図４に示す例では、底面部３１は、その四隅が面取りされた形状となっている。そして、本体周壁部３２における底面部３１の四隅から上方に延びる部分には、内方に凸となる内周リブ部３２Ａが設けられている。内周リブ部３２Ａは、本体周壁部３２の傾斜面に沿って上下方向に延びるように形成されており、図示の例では、底面部３１の四隅のそれぞれにおいて、複数（３本）の内周リブ部３２Ａが周方向に並んで配置されている。
【００２４】
底面部３１の外縁には、下方に凹む底溝部３１Ａが設けられている。本実施形態では、底溝部３１Ａは、底面部３１の外縁の全周に亘って設けられている。換言すれば、底溝部３１Ａは、底面部３１と本体周壁部３２との連結部分に設けられている。但し、このような構成に限定されることなく、底溝部３１Ａは、底面部３１の外縁において断続的に設けられていても良い。容器内の余分な水分を底溝部３１Ａに流し込むことで、容器内の被収容物を適切な状態に維持することができる。
【００２５】
図４及び５〜７に示すように、本実施形態では、容器本体３は、本体フランジ部３３の外側端部から下方に延びる本体スカート部３４を有している。本体スカート部３４は、容器本体３の全周に亘って、下方に向かって外方に傾斜するように形成されている。そして、本体スカート部３４には、外方に膨らむ本体膨出部３４Ａが形成されている。本実施形態では、本体逆テーパー部３５は、本体膨出部３４Ａの下側において当該本体膨出部３４Ａに連続して形成されている。本体逆テーパー部３５は、下方に向かうに従って内方に傾斜するように形成されている。図４に示すように、本実施形態では、本体逆テーパー部３５は、容器本体３の全周に亘って形成されている。
【００２６】
図４に示すように、本体摘み部３６は、矩形状の容器本体３の四隅のうちの一部に設けられている。本実施形態では、本体摘み部３６は、容器本体３の四隅に配置された隅部のうち、平面視で対角に位置する一対の隅部のそれぞれに設けられている。本体摘み部３６は、他の一対の隅部には設けられていない。図示の例では、本体摘み部３６は、平面視で概ね三角形状に形成されている。図５に示す例では、本体摘み部３６は、本体スカート部３４の下端から水平方向に沿って外側に延びている。本実施形態では、本体摘み部３６には、平面状に形成された本体摘み面部３６Ａと、本体摘み面部３６Ａから上方に向かって突出する上方突起部３６Ｂと、が設けられている。
【００２７】
図４に示すように、本実施形態では、容器本体３は、主となる被収容物を収容する収容部３７を有している。本体周壁部３２によって囲まれた空間に、収容部３７が設けられている。ここで、上述のように、本実施形態に係る包装用容器１は、主ににぎり寿司やおはぎ等の小さな塊状の被収容物を収容するのに適しており、容器本体３の底面部３１には、被収容物を位置決めするための位置決めリブ部３８が上方に突起して形成されている。但し、このような構成に限定されることなく、底面部３１には、上方に突起する位置決めリブ部３８の代わりに、下方に凹む凹状部が被収容物の位置決めを行うものとして形成されていても良い。さらには、上記のような被収容物の位置決め機能を有するものの他、底面部３１には、容器内において被収容物を盛り付ける際の目安となる表示部が形成されていても良い。例えば、表示部は、上方に突起する態様であっても良いし、下方に凹む態様であっても良く、その突起の高さや凹みの深さが僅かである線状に形成されていると良い。
【００２８】
本実施形態では、位置決めリブ部３８には、本体短辺部３ＳＳに沿う方向に対する被収容物の位置決めを行う（位置ずれを防止する）主リブ部３８Ａと、本体長辺部３ＳＬに沿う方向に対する被収容物の位置決めを行う（位置ずれを防止する）副リブ部３８Ｂと、が含まれる。図４に示す例では、主リブ部３８Ａは、底面部３１における本体短辺部３ＳＳに沿う方向の中央に配置され、本体長辺部３ＳＬに沿って延在している。副リブ部３８Ｂは、底面部３１における主リブ部３８Ａを挟んだ両側において、本体長辺部３ＳＬに沿う方向に間隔を空けて複数配置されている。図示の例では、副リブ部３８Ｂは、平面視で、主リブ部３８Ａの延在方向に対して傾斜する方向に延在しており、複数の副リブ部３８Ｂの全てが同方向に延在している。そして、主リブ部３８Ａの両端部は、副リブ部３８Ｂの延在方向と同方向に傾斜している。また、副リブ部３８Ｂは、その一端が上述の底溝部３１Ａに到る位置まで延びており、主リブ部３８Ａは、その両端が上述の底溝部３１Ａに到る位置まで延びている。
【００２９】
本実施形態では、隣り合う主リブ部３８Ａ及び副リブ部３８Ｂによって、収容部３７に収容された被収容物の位置決めがなされる。これにより、小さな塊状の被収容物を整頓して配置することが可能となっている。更に、位置決めリブ部３８は、被収容物の位置決めの他、容器本体３の補強も担っている。なお、図示の例では、収容部３７は、区画されることなく、１つの空間として構成されている。しかし、収容部３７は、主となる被収容物以外の被収容物を収容するために区画壁等により区画されていても良い。例えば、主となる被収容物がにぎり寿司である場合、収容部３７を区画することにより、にぎり寿司が食される際に用いられる調味料（醤油等）や薬味（生姜等）等を収容するための領域を形成しても良い。
【００３０】
図１〜３に示すように、蓋体５は、天面部５１と、天面部５１から下方に延びる蓋体周壁部５２と、蓋体周壁部５２から外側に延びる蓋体フランジ部５３と、蓋体フランジ部５３よりも周縁側に設けられて本体逆テーパー部３５に係合する蓋体逆テーパー部５５と、蓋体フランジ部５３よりも外側に突出する突出片からなり本体摘み部３６に重ね合わされる蓋体摘み部５６と、を有している。
【００３１】
蓋体５は、４つの蓋体辺部５Ｓを有している。本実施形態では、蓋体辺部５Ｓは、平面視長方形状の蓋体５の短辺部を構成する一対の蓋体短辺部５ＳＳと、長辺部を構成する一対の蓋体長辺部５ＳＬと、を含んでいる。そして、蓋体周壁部５２は、天面部５１の外縁に連続して形成されている。蓋体周壁部５２は、下方に向かうに従って外方に傾斜するように形成されている。また、蓋体フランジ部５３は、蓋体周壁部５２の下端から水平方向に沿って外側に延びている。
【００３２】
本実施形態では、蓋体５は、蓋体フランジ部５３から全周に亘って下方に延びる蓋体スカート部５４をさらに有している。図７に示すように、蓋体スカート部５４は、蓋体フランジ部５３の外側端部から下方に向かうに従って外方に傾斜するように延びる拡開部５４Ｂと、拡開部５４Ｂの下端部から垂下する垂下部５４Ｃと、を有している。
【００３３】
図３、５及び６に示すように、本実施形態では、蓋体スカート部５４（具体的には、垂下部５４Ｃ）から内向きに突出して蓋体逆テーパー部５５となる線状突起が形成されている。また、本実施形態では、蓋体スカート部５４における拡開部５４Ｂと垂下部５４Ｃとの境界には、外方に膨らむ蓋体膨出部５４Ａが形成されており、蓋体逆テーパー部５５となる線状突起は、蓋体膨出部５４Ａの下側（垂下部５４Ｃ）において当該蓋体膨出部５４Ａに連続して形成されている（図５及び６参照）。蓋体逆テーパー部５５は、下方に向かうに従って内方に傾斜するように形成されており、蓋体５の外周において断続的に形成されている。
【００３４】
図３、５及び６に示すように、蓋体周壁部５２における蓋体逆テーパー部５５に対応する位置には、内向きに凹む周壁凹部５２Ａが設けられている。周壁凹部５２Ａは、上下方向に沿って延びている。本実施形態では、周壁凹部５２Ａは、蓋体周壁部５２における上下方向の全域に亘って形成されている。周壁凹部５２Ａによって蓋体周壁部５２の強度を向上させることができ、蓋体５が外力によって撓むことを抑制することができる。
【００３５】
本実施形態では、蓋体摘み部５６は、矩形状の蓋体５の四隅のうちの一部に設けられており、上述の容器本体３における本体摘み部３６が設けられる位置に対応して配置される。本実施形態では、蓋体摘み部５６は、蓋体５の四隅に配置された隅部のうち、平面視で対角に位置する一対の隅部のそれぞれに設けられている。蓋体摘み部５６は、他の一対の隅部には設けられていない。図示の例では、蓋体摘み部５６は、平面視で概ね三角形状に形成されている。蓋体摘み部５６は、蓋体スカート部５４の下端から水平方向に沿って外側に延びている。本実施形態では、蓋体摘み部５６には、平面状に形成された蓋体摘み面部５６Ａと、蓋体摘み面部５６Ａから下方に向かって突出する下方突起部５６Ｂと、が設けられている。
【００３６】
図３に示すように、容器本体３から蓋体５を取り外す際の起点となる開蓋領域１１（図５も参照）が、容器外周に設けられている。開蓋領域１１は、複数箇所に設けられており、各開蓋領域１１において、本体摘み部３６と蓋体摘み部５６とが重ね合わされている。なお、本体摘み部３６と蓋体摘み部５６とが重ね合わされた状態では、図５に示すように、本体摘み部３６の上方突起部３６Ｂと蓋体摘み部５６の下方突起部５６Ｂとによって、本体摘み面部３６Ａと蓋体摘み面部５６Ａとの間に隙間が生じる。これにより、開蓋の際に蓋体摘み部５６を摘まみ易くなっている。
【００３７】
図３に示すように、上述の蓋体逆テーパー部５５は、矩形状の蓋体５の四隅に設けられている。すなわち、蓋体逆テーパー部５５は、四隅に配置された隅部のうち、蓋体摘み部５６が設けられた一対の隅部（平面視で対角に位置する一対の隅部）に設けられていると共に、蓋体摘み部５６が設けられていない他の一対の隅部にも設けられている。また、本実施形態では、蓋体逆テーパー部５５は、一対の蓋体短辺部５ＳＳ及び一対の蓋体長辺部５ＳＬのそれぞれにおける両端部５Ｅにも、独立して設けられている。さらに、蓋体逆テーパー部５５は、一対の蓋体長辺部５ＳＬのそれぞれにおける中間部５Ｍにも独立して設けられている。なお、一対の蓋体短辺部５ＳＳのそれぞれにおける中間部５Ｍには、蓋体逆テーパー部５５は設けられていない。換言すれば、蓋体逆テーパー部５５は、一対の蓋体長辺部５ＳＬの両端部５Ｅと中間部５Ｍとに独立して設けられている。そして、一対の蓋体短辺部５ＳＳには、蓋体逆テーパー部５５が両端部５Ｅだけに設けられている。
【００３８】
図３に示すように、本体逆テーパー部３５（図４等参照）と蓋体逆テーパー部５５とが係合してなる逆テーパー係合部１４が、全ての開蓋領域１１において、それぞれ略全域に亘って設けられている。逆テーパー係合部１４では、蓋体逆テーパー部５５が本体逆テーパー部３５に対して外側から当接して係合している。そして、このように当接し合う蓋体逆テーパー部５５及び本体逆テーパー部３５は、上述のように、下方に向かうに従って内方に傾斜するように形成されている。そのため、逆テーパー係合部１４についても下方に向かうに従って内方に傾斜している。図５及び６に示す例では、逆テーパー係合部１４は、垂直線との成す角がθとなるように傾斜している。「θ」は、例えば、３０°〜９０°であると好適である。上記構成により、蓋体５は、外力が加えられない状態で、容器本体３から外れにくいように構成されている。
【００３９】
また、蓋体５を容器本体３に嵌合する際には、蓋体逆テーパー部５５を本体膨出部３４Ａに対して上から下に押し込む必要があるため（図５及び６参照）、蓋体５には、押し込みに耐え得る強度が求められる。上述のように、本実施形態では、蓋体周壁部５２における蓋体逆テーパー部５５に対応する位置（逆テーパー係合部１４に対応する位置）、より詳細には、蓋体周壁部５２における、開蓋領域１１に設けられた逆テーパー係合部１４の直上の位置に周壁凹部５２Ａが設けられていることにより（図３、５及び６参照）、蓋体周壁部５２、ひいては、蓋体５の強度が向上している。そのため、嵌合時の押し込みによっても蓋体５が撓みにくい構成となっている。
【００４０】
本実施形態では、矩形状の容器本体３及び蓋体５（包装用容器１）の四隅のうちの一部（具体的には平面視で対角に位置する一対の隅部）が開蓋領域１１とされており、逆テーパー係合部１４が開蓋領域１１の略全域に設けられている。また、本実施形態では、矩形状の容器本体３及び蓋体５の四隅のうち、開蓋領域１１とはなっていない一対の隅部の略全域にも、逆テーパー係合部１４が設けられている。こうして、逆テーパー係合部１４が、四隅の略全域に設けられている。これにより、容器本体３の全体と蓋体５の全体とをバランスよく嵌合することができる。また、隣り合う２辺が交差する四隅は各辺に比べて撓みにくいので、四隅のうちの一部に開蓋領域１１を設けることで、嵌合時の押し込みに対する強度を高めることができる。また、対角に位置する一対の隅部に開蓋領域１１を設けることで、バランス良くそのような効果を得ることができる。
【００４１】
図３に示す例では、逆テーパー係合部１４は、矩形状の容器本体３及び蓋体５（包装用容器１）の四隅以外にも設けられている。逆テーパー係合部１４は、容器外周における四隅以外の領域においては、その全域に亘ってではなく、断続的に設けられている。本実施形態では、本体逆テーパー部３５が容器本体３の全周に亘って形成されているとともに、蓋体スカート部５４から内向きに突出して蓋体逆テーパー部５５となる線状突起が蓋体５の四隅の略全域に形成されつつ当該四隅以外の領域に断続的に形成される。これにより、逆テーパー係合部１４が、包装用容器１の四隅の略全域に亘って設けられ、当該四隅以外の領域において断続的に設けられている。従って、逆テーパー係合部１４は、包装用容器１の四隅のうち、本体摘み部３６と蓋体摘み部５６とが重ね合される隅部（本例では、対角に位置する一対の隅部）、すなわち、全ての開蓋領域１１においてそれぞれ略全域に亘って設けられ、かつ、開蓋領域１１以外の領域において断続的に設けられている。
【００４２】
逆テーパー係合部１４は、矩形状の容器本体３及び蓋体５の少なくとも１辺の両端部１Ｅと中間部１Ｍとに独立して設けられる。図３に示す例では、逆テーパー係合部１４は、包装用容器１の外周における開蓋領域１１以外の領域においては、四隅のうち開蓋領域１１でない隅部と、容器本体３及び蓋体５（包装用容器１）の各長辺部３ＳＬ，５ＳＬにおける両端部１Ｅと、各短辺部３ＳＳ，５ＳＳにおける両端部１Ｅとに、独立して設けられている。そして、逆テーパー係合部１４は、長方形状の容器本体３及び蓋体５（包装用容器１）の各長辺部３ＳＬ，５ＳＬの中間部１Ｍにも、独立して設けられている。なお、逆テーパー係合部１４は、容器本体３及び蓋体５（包装用容器１）の各短辺部３ＳＳ，５ＳＳの中間部１Ｍには、設けられていない。換言すれば、逆テーパー係合部１４は、長方形状の容器本体３及び蓋体５の一対の長辺部３ＳＬ，５ＳＬの両端部１Ｅと中間部１Ｍとに独立して設けられている。そして、長方形状の容器本体３及び蓋体５の一対の短辺部３ＳＳ，５ＳＳには、逆テーパー係合部１４が両端部１Ｅだけに設けられている。
【００４３】
以上説明した包装用容器１によれば、各開蓋領域１１の略全域に亘って設けられる逆テーパー係合部１４により、開蓋領域１１において蓋体５と容器本体３とを強固に嵌合できる。一方、開蓋領域１１以外の領域には逆テーパー係合部１４を断続的に設けることで、包装用容器１の全体として見たときに、蓋体５と容器本体３とが過度に強固に嵌合してしまうことを回避できる。よって、不用意に開蓋されることを抑制でき、かつ、必要な時には開蓋し易い。また、開蓋領域１１には逆テーパー係合部１４が略全域に亘って設けられて嵌合力が非常に高いが、当該開蓋領域１１では蓋体摘み部５６に対して開蓋操作力を直接作用させることができるので、容易に嵌合解除し始めることができる。開蓋領域１１以外の領域では開蓋操作力が直接的には作用しないものの、当該領域には逆テーパー係合部１４が断続的に設けられているだけなので、容易に嵌合解除することができる。よって、この点からも、不用意に開蓋されることを抑制でき、かつ、必要な時には開蓋し易い包装用容器１となっている。
【００４４】
また、逆テーパー係合部１４を全ての開蓋領域１１（四隅のうちの一部）の略全域と各辺部３Ｓ，５Ｓの両端部１Ｅに（※長辺部３ＳＬ，５ＳＬにおいては中間部１Ｍにも）独立して断続的に設けるのに、蓋体逆テーパー部５５を、蓋体５の外周において逆テーパー係合部１４を設ける位置に応じて断続的に形成し、その一方で、本体逆テーパー部３５を容器本体３の全周に亘って形成している。本体逆テーパー部３５を容器本体３の全周に亘って形成しておくことで、例えば蓋体５の形状変更等によって蓋体逆テーパー部５５ひいては逆テーパー係合部１４の具体的位置が微調整されるような場合にも、柔軟に対応することができる。すなわち、容器本体３の側の構成はそのままに、蓋体５の側の構成を様々に微調整することで、基本的構成態様（逆テーパー係合部１４が、全ての開蓋領域１１（四隅のうちの一部）の略全域と、一対の長辺部３ＳＬ，５ＳＬの両端部１Ｅ及び中間部１Ｍと、一対の短辺部３ＳＳ，５ＳＳの両端部１Ｅとに独立して断続的に設けられる態様）を共通としつつ逆テーパー係合部１４の具体的位置が若干異なる複数バリエーションの包装用容器を、容易に提供することができる。
【００４５】
〔その他の実施形態〕
（１）上記の実施形態では、本体逆テーパー部３５が、容器本体３の全周に亘って形成されている例について説明した。しかし、本発明はこのような例に限定されない。本体逆テーパー部３５は、容器本体３の外周において断続的に形成されていても良い。この場合、本体逆テーパー部３５は、少なくとも、蓋体逆テーパー部５５に対応する位置に形成されると良い。
【００４６】
（２）上記の実施形態では、逆テーパー係合部１４が、矩形状の容器本体３及び蓋体５（包装用容器１）の長辺部３ＳＬ，５ＳＬにおける中間部１Ｍに１つだけ設けられている例について説明した。しかし、本発明はこのような例に限定されない。矩形状の容器本体３及び蓋体５（包装用容器１）の長辺部３ＳＬ，５ＳＬの中間部１Ｍに、互いに独立した複数の逆テーパー係合部１４が設けられても良い。
【００４７】
（３）上記の実施形態では、本体摘み部３６に、上方に向かって突出する上方突起部３６Ｂが設けられている例について説明した。しかし、本発明はこのような例に限定されない。本体摘み部３６に上方突起部３６Ｂが設けられず、本体摘み部３６が平面状の本体摘み面部３６Ａだけで構成されても良い。この場合でも、本体摘み面部３６Ａに蓋体摘み部５６の下方突起部５６Ｂが当接して、本体摘み面部３６Ａと蓋体摘み面部５６Ａとの間に隙間が生じるので、開蓋の際に蓋体摘み部５６を摘まみ易い。
【００４８】
（４）上記の実施形態では、図１及び２に示すように、矩形状の容器本体３及び蓋体５（包装用容器１）の各辺部３Ｓ，５Ｓが水平方向に沿って形成されている例について説明した。しかし、本発明はこのような例に限定されない。矩形状の容器本体３及び蓋体５（包装用容器１）の各辺部３Ｓ，５Ｓは、それぞれ、両端部１Ｅが上方に向けて湾曲するように形成されていても良い。この場合、矩形状の容器本体３及び蓋体５（包装用容器１）の四隅は、各辺部３Ｓ，５Ｓの中間部１Ｍよりも上方に配置される。
【００４９】
（５）なお、前述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【産業上の利用可能性】
【００５０】
本開示に係る技術は、容器本体と蓋体とを備えた包装用容器に利用することができる。
【符号の説明】
【００５１】
１      ：包装用容器
１Ｅ    ：両端部
１Ｍ    ：中間部
３      ：容器本体
３Ｓ    ：本体辺部
３ＳＳ  ：本体短辺部
３ＳＬ  ：本体長辺部
５      ：蓋体
５Ｅ    ：両端部
５Ｍ    ：中間部
５Ｓ    ：蓋体辺部
５ＳＳ  ：蓋体短辺部
５ＳＬ  ：蓋体長辺部
１１    ：開蓋領域
１４    ：逆テーパー係合部
３１    ：底面部
３２    ：本体周壁部
３３    ：本体フランジ部
３５    ：本体逆テーパー部
３６    ：本体摘み部
３７    ：収容部
５１    ：天面部
５２    ：蓋体周壁部
５２Ａ  ：周壁凹部
５３    ：蓋体フランジ部
５５    ：蓋体逆テーパー部
５６    ：蓋体摘み部
【図１】
2020001749.tif 000003
【図２】
2020001749.tif 000004
【図３】
2020001749.tif 000005
【図４】
2020001749.tif 000006
【図５】
2020001749.tif 000007
【図６】
2020001749.tif 000008
【図７】
2020001749.tif 000009